(57)【特許請求の範囲】
【請求項１】
本体キャビネットの前面を開閉する外扉に形成されたディスプレイ室の透明板の前面に配設され、左右方向に複数の商品選択ボタンを有する商品選択ボタン装置を備え、前記透明板の背面側に配設されるとともに上部フランジと下部フランジを有する略Ｃ字状の取付金具により前記商品選択ボタンを透明板の前面に固着してなる自動販売機であって、横長帯状の透明なカバー部および当該カバー部の上部に連ねて形成されるとともに湾曲した一条の保持溝を有する複数の保持部を備えた商品見本展示用アタッチメントと、前記商品見本展示用アタッチメントの保持部における保持溝に装着される薄い平板からなるシート状商品見本とを備え、前記商品見本展示用アタッチメントを前記商品選択ボタン装置の取付金具に係止固定したことを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、商品選択ボタンの操作により庫内に保存した商品を販売する自動販売機の商品見本展示装置に関するものである。
【背景技術】
【０００２】
この種の従来の自動販売機の商品見本展示装置について図５を用いて説明する。図５は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタン装置９０が設けられ、商品選択ボタン装置９０は、ディスプレイ台７０に載置された各商品見本８０に対応して左右に一列に並べて設けた商品選択ボタン（不図示）を有して透明板４０の前面側に配置されると共に透明板４０の背面側に配置した取付金具にねじ止めして固着されている。さらに、外扉２０の前面には、硬貨識別装置２０１に連通する硬貨投入口、紙幣識別装置２０２に連通する紙幣挿入口、硬貨返却口、返却レバーおよびロック付ハンドル、商品取出口２０３などが設けられている（例えば、特許文献１）。
【０００４】
前記ディスプレイ台７０は、周知であるので詳細な図示は省略するが、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には商品見本８０を嵌合保持する係合穴が左右方向に複数並設されている。また、商品載置台の前面壁には各商品見本８０に対応する商品のコールド，ホット状態を表す冷温パターンを表示する冷温表示板および商品の価格情報を表示する価格表示板が装着される。なお、前記冷温表示板，価格表示板に替えて液晶ディスプレイ（ＬＣＤ）を備えた商品情報デジタルディスプレイを用いて冷温表示（寒色である青色，暖色である赤色）を行うとともに価格表示を行うものも知られている。
【０００５】
前記商品見本８０は光透過材料により形成された中空状の本体の底面に光導入部を設け、前記光導入部から本体の内部に光を導入して本体を内側から照明するように構成されている。前記商品見本８０は前記ディスプレイ台７０に形成した係合穴に嵌合保持されると、ディスプレイ台７０の内部に設けた照明光源からの光がディスプレイ台７０の係合穴と商品見本８０の底部に形成した光導入部とを通して中空状の商品見本の内部に照射され、商品見本が恰も発光しているように展示されることは周知である。前記商品見本８０は立体、具体的には、缶，瓶，ペットボトルなどの容器形状に一致させた中空状の本体を備えた商品見本や、前記中空状の本体を半分に切断した半割り状の商品見本などがディスプレイ台に形成した開口部に嵌合保持するようにされている。前記商品見本８０は立体状、具体的には、缶，瓶，ペットボトルなどの容器形状に一致させた中空状の本体を備えたもの、前記中空状の本体を半分に切断した半割り状のものなどが一般的である。
【先行技術文献】
【特許文献】
【０００６】
【特許文献１】特開２００３−６７２２号公報
【発明の概要】
【発明が解決しようとする課題】
【０００７】
ところで、従来の自動販売機の商品見本展示装置は、中扉６０に固着されたディスプレイ台７０に形成した複数の係合穴に光透過材料により形成された中空状の本体の底面に光導入部を設けた商品見本８０を嵌合保持するように構成されている。このように、商品見本８０の展示のためにディスプレイ台７０を必要とするので費用が嵩み、また、前記ディスプレイ台７０が板金により形成され、かつ、このディスプレイ台７０を係止保持する中扉６０も板金により形成されていることから自動販売機の重量が増加するという課題を有する。
【０００８】
そこで、本発明は上記の点に鑑みなされたものであり、その目的は前記課題を解決し、ディスプレイ台を用いることなく商品見本を展示することが可能な自動販売機の商品見本展示装置を提供することにある。
【課題を解決するための手段】
【０００９】
上記目的を達成するため請求項１に係る発明は、本体キャビネットの前面を開閉する外扉に形成されたディスプレイ室の透明板の前面に配設され、左右方向に複数の商品選択ボタンを有する商品選択ボタン装置を備え、前記透明板の背面側に配設され、上部フランジと下部フランジを有する略Ｃ字状の取付金具により前記商品選択ボタンを透明板の前面に固着してなる自動販売機であって、横長帯状の透明なカバー部および当該カバー部の上部に連ねて形成されるとともに湾曲した一条の保持溝を有する複数の保持部を備えた商品見本展示用アタッチメントと、前記商品見本展示用アタッチメントの保持部における保持溝に装着される薄い平板からなるシート状商品見本とを備え、前記商品見本展示用アタッチメントを前記商品選択ボタン装置の取付金具に係止固定したことを特徴とする。
【発明の効果】
【００１０】
本発明の請求項１に係る発明によれば、本体キャビネットの前面を開閉する外扉に形成されたディスプレイ室の透明板の前面に配設され、左右方向に複数の商品選択ボタンを有する商品選択ボタン装置を備え、前記透明板の背面側に配設され、上部フランジと下部フランジを有する略Ｃ字状の取付金具により当該商品選択ボタンを透明板の前面に固着してなる自動販売機であって、横長帯状の透明なカバー部および当該カバー部の上部に連ねて形成されるとともに湾曲した一条の保持溝を有する複数の保持部を備えた商品見本展示用アタッチメントと、前記商品見本展示用アタッチメントの保持部における保持溝に装着される薄い平板からなるシート状商品見本とを備え、前記商品見本展示用アタッチメントを前記商品選択ボタン装置の取付金具に係止固定したことにより、ディスプレイ台を用いることなくシート状商品見本を展示することができ、シート状商品見本の展示のために商品見本展示用アタッチメントを追加装備すればよいので、コストの低減に加えて自動販売機の重量軽減に寄与するという効果を有する。また、前記商品見本展示用アタッチメントの保持部に形成された湾曲した保持溝に下端を保持されたシート状商品見本が保持溝の湾曲に倣って湾曲するので、その剛性を高めることができ、シート状商品見本を自立した起立姿勢に維持することができる。
【図面の簡単な説明】
【００１１】
【図１】本発明の実施の形態に係る自動販売機の商品見本展示装置を示し、（ａ）は商品選択ボタン装置の要部斜視図、（ｂ）は（ａ）の背面斜視図である。
【図２】商品展示用アタッチメントを示し、（ａ）はその平面図、（ｂ）はその正面図である。
【図３】図１の（ｂ）の分解斜視図である。
【図４】図１の（ｂ）に示したＡ部の拡大図であり、（ａ）は取付け状態の斜視図、（ｂ）は（ａ）の分解斜視図である。
【図５】本発明が対象とする自動販売機の一例を示す斜視図である。
【発明を実施するための形態】
【００１２】
以下、本発明の実施の形態に係る自動販売機の商品見本展示装置について添付図面を参照して説明する。なお、本発明の実施の形態に係る自動販売機の商品見本展示装置が従来装置と相違する点は特に商品選択ボタン装置の周辺であり、ここでは従来装置と相違する商品選択ボタン装置の周辺について説明することとし、また、自動販売機の全体構成は図５に示したものと同一であるので適宜図５を参照しつつ説明を行う。
【００１３】
図１において、９０で再び商品選択ボタン装置を示し、１００は商品選択ボタン装置９０の取付金具である。なお、図では透明板４０（図５参照）を省略している。１はシート状商品見本であり、このシート状商品見本１は可撓性の薄いプラスチックシートに商品の外観意匠を印刷した矩形平板状の透明若しくは半透明のシートからなるものである。このシート状商品見本１は本発明に係る商品見本展示用アタッチメント２を介して商品選択ボタン装置９０の取付金具１００に取り付けられるが、これについては後述することとし、まず、商品選択ボタン装置９０および取付金具１００について説明する。
【００１４】
前記商品選択ボタン装置９０は、前面カバー９１ａとベース基板（不図示）とを組合せ、かつ前面カバー９１ａに透明樹脂で作られた商品選択ボタン９１ｂを組み込んだ樹脂成形品としてなる断面半月状の釦ケース９１にプリント板（不図示）が内蔵されている。前記プリント板には商品選択ボタン９１ｂにより作動するスイッチ素子，販売可能表示用／売切表示用の発光ダイオード，入出力制御用ＩＣ，外部接続用端子などの各種部品が実装されている。前記プリント板の外部接続用端子はベース基板の背面側に引き出されてコネクタ９２（図１の（ｂ）参照）に接続されている。このコネクタ９２には、取付金具１００に沿って配線した制御信号伝送用ハーネスのカプラが接続される。また、ベース基板には背面側に突出する複数のボスを備え、当該ボス内には取付けねじＳ１（図１の（ｂ）参照）が螺合するインサートナットが埋設されている。なお、前記コネクタ９２を囲繞するボスがベース基板の背面側に突出して形成されており、これらのボスが貫通する貫通穴が透明板４０（図５参照）に形成されている。前記商品選択ボタン装置９０の取付金具１００は、上部フランジ１０１と下部フランジ１０２を有する略Ｃ字状に形成されており、前記ボスが貫通する穴（図１の（ｂ）ではコネクタ９２用の穴１０３）が形成され、前述したインサートナットに取付けねじＳ１を螺合させることにより前記商品選択ボタン装置９０を保持している。
【００１５】
前述した商品選択ボタン装置９０および取付金具１００については周知のものであるが、取付金具１００については次の点が従来のものとは相違している。すなわち、図４に拡大して示すように、上フランジ１０１には本発明に係る商品見本展示用アタッチメント２を係止固定する係合穴１０１ａおよび係止穴１０１ｂが複数穿孔されている点が従来のものと相違している。
【００１６】
さて、シート状商品見本１を起立姿勢でディスプレイ台１に展示するための商品見本展示用商品見本展示用アタッチメント２について図２を用いて説明する。前記商品見本展示用アタッチメント２は、商品情報デジタルディスプレイ４の前面に配備された横長帯状のカバー部２１および当該カバー部２１の上部に連ねて形成された保持部２２からなる透明なプラスチック成形品である。前記カバー部２１は、商品選択ボタン装置９０の横幅に相当する横幅を有する横長帯状に形成されており、その下端には複数の係合突起２１１およびフック状の係止突起２１２が形成されている。前記カバー部２１の上部に連ねて形成された保持部２２、この例では５個の保持部２２はそれぞれ前方側に凸の湾曲状に形成されており、その湾曲に沿ってそれぞれ一条の保持溝２２１（図２の（ａ）を参照）が形成されている。前記保持溝２２１は薄いシート状商品見本１が挿入され、当該シート状商品見本１を保持するものである。この薄いシート状商品見本１を保持するために保持溝２２１の溝幅は微小間隙として形成せねばならない。このため、前記保持溝２２１の内壁は互い違いに噛み合う鋸歯２２２が形成され、両者の鋸歯２２２の先端の間に微小間隙が生じるように構成されている。
【００１７】
次に、前記商品見本展示用アタッチメント２の取付金具１００への取付けについて図３および図４を参照しつつ説明する。前記商品見本展示用アタッチメント２は、カバー部２１の下端に形成された係合突起２１１および係止突起２１２を取付金具１００の上フランジ１０１に形成された係合穴１０１ａおよび係止穴１０１ｂに対峙させたうえで、係合突起２１１および係止突起２１２を係合穴１０１ａおよび係止穴１０１ｂに差し込む。この場合、係止突起２１２のフックが係止穴１０１ｂを通過する際、係止突起２１２は可撓性を有するので撓む。そして、前記フックが係止穴１０１ｂを貫通すると係止突起２１２が元の状態に復元してフックが上フランジ１０１に係合する。このように、カバー部２１の係合突起２１１および係止突起２１２を取付金具１００の上フランジ１０１に形成された係合穴１０１ａおよび係止穴１０１ｂに嵌合させることにより商品見本展示用アタッチメント２は取付金具１００に係止固定される。
【００１８】
このように、取付金具１００に装着された商品見本展示用アタッチメント２の保持部２２における保持溝２２１にはシート状商品見本８１が挿入される。この場合、シート状商品見本１は下端の一部のみが保持溝２２１に挿入された状態で保持部２２に保持されることとなるが、保持溝２２１が湾曲していることからシート状商品見本１も保持溝２２１の湾曲に倣って横断面が前方側に凸となるように湾曲した状態で起立する。このように、シート状商品見本１を湾曲させて保持することにより薄いプラスチックシートからなるシート状商品見本１を安定した起立姿勢に維持することができる。なお、カバー部２１の背後にはシート状商品見本１に対応する商品のコールド，ホット状態を表す冷温パターンを表示する冷温表示板および商品の価格情報を表示する価格表示板を装着することができ、また、前記冷温表示板，価格表示板に替えて液晶ディスプレイ（ＬＣＤ）を備えた商品情報デジタルディスプレイを装着することもできるものである。
【００１９】
ここで、前記シート状商品見本１の左右側縁の下端側には切欠１１（図１の（ａ）参照）が設けられている。この切欠１１について次に説明する。前述したような矩形平板状のシート状商品見本１の下端を湾曲させた際、シート状商品見本１の全体が湾曲してしまうことがある。そこで、シート状商品見本１には左右側縁の下部側に切欠１１を設けている。このように、切欠１１を有するシート状商品見本１の下端を湾曲させる、つまり、前記商品見本展示用アタッチメント２の保持溝２２１に挿入した場合、シート状商品見本１の切欠１１よりも下部側は保持溝２２１の湾曲に倣って湾曲（曲率の小さい湾曲）するが、前記切欠１１によって下部側との繋がりが一部絶たれた切欠１１よりも上部側の湾曲は下部側の湾曲に対して比較的小さくなる（曲率の大きな湾曲となる）。このように、切欠１１を形成することによりシート状商品見本１の湾曲を抑えることができる一方、切欠１１よりも下部側は保持溝２２１の湾曲に倣って湾曲することから薄いプラスチックシートからなるシート状商品見本１を安定して起立姿勢に維持することができる。なお、切欠１１は角型に限らず円弧形状とすることもでき、さらに、切欠１１に代えて切り込みを入れることもできるものである。
【００２０】
前述したように本発明の実施の形態に係る自動販売機の商品見本展示装置によれば、本体キャビネット１０の前面を開閉する外扉２０に形成されたディスプレイ室５０の透明板４０の前面に配設され、左右方向に複数の商品選択ボタン９１ｂを有する商品選択ボタン装置９０を備え、前記透明板４０の背面側に配設されるとともに上部フランジ１０１と下部フランジ１０２を有する略Ｃ字状の取付金具１００により前記商品選択ボタン装置９０を透明板４０の前面に固着してなる自動販売機であって、横長帯状の透明なカバー部２１および当該カバー部２１の上部に連ねて形成されるとともに湾曲した一条の保持溝２２１を有する複数の保持部２２を備えた商品見本展示用アタッチメント２と、前記商品見本展示用アタッチメント２の保持部２２における保持溝２２１に装着される薄い平板からなるシート状商品見本１とを備え、前記商品見本展示用アタッチメント２を前記商品選択ボタン装置９０の取付金具１００に係止固定したことにより、ディスプレイ台７０を用いることなくシート状商品見本１を展示することができ、シート状商品見本１の展示のために商品見本展示用アタッチメント２を追加装備すればよいので、コストの低減に加えて自動販売機の重量軽減に寄与するという効果を有する。また、前記商品見本展示用アタッチメント２の保持部２２に形成された湾曲した保持溝２２１に下端を保持されたシート状商品見本１が保持溝２２１の湾曲に倣って湾曲するので、その剛性を高めることができ、シート状商品見本１を自立した起立姿勢に維持することができる。
【００２１】
なお、上記実施の形態においては、保持溝２２１が一条の連続した溝からなる形態について説明したが、例えば、保持溝２２１が連続しておらずに細切れに分散されたものであってもよく、また、溝の代わりに複数の突起を並設して微小間隙を形成することもできる。したがって、一条の保持溝２２１とはシート状商品見本８１を湾曲した状態で保持できるものを総称するものであり、前述した実施の形態によりこの発明が限定されるものではない。
【符号の説明】
【００２２】
１…シート状商品見本、２…商品見本展示用アタッチメント、１０…本体キャビネット、１１…切欠、２０…外扉、２１…カバー部、２２…保持部、５０…ディスプレイ室、９０…商品選択ボタン装置、９１…釦ケース、９１ａ…前面カバー、９１ｂ…操作押釦、９２…コネクタ、１００…取付金具、１０１…上フランジ、１０２…下フランジ、１０１ａ…係合穴、１０１ｂ…係止穴、２１１…係合突起、２１２…係止突起、２２１…保持溝。
【図１】
0005720430.tif 000002
【図２】
0005720430.tif 000003
【図３】
0005720430.tif 000004
【図４】
0005720430.tif 000005
【図５】
0005720430.tif 000006